【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
配管内のプラッギング（ｐｌｕｇｇｉｎｇ）除去のためのドリル装置であって、 
前記配管内のプラッギングを破砕するためのドリル刃と、
前記ドリル刃の上下運動を調整することができるベベルギア及びベベルギアハンドルと、
前記ドリル刃の回転運動を調整することができるウォームギア及びウォームギアハンドルと、
前記ドリル刃と同じ軸線上に位置し、外部面が雄ネジ状であるスクリューと、
前記スクリューを取り囲む第１部分と前記ドリル刃が固定される第２部分からなるドリルシャフトであって、前記第１部分の内部面は前記スクリューの雄ネジ状に噛み合う雌ネジ状である、ドリルシャフトと、
前記ドリルシャフトの第１部分を取り囲んで前記ドリルシャフトに接触するシャフトガイドと、を含む、配管内のプラッギング除去のためのドリル装置。
【請求項２】
前記ベベルギアは、
前記ベベルギアハンドルに結合される第１ベベルギア部材と、
前記第１ベベルギア部材に噛み合う第２ベベルギア部材と、を含み、
前記ドリル装置は前記第２ベベルギア部材と前記スクリューの下端部を連結するベベルギアシャフトをさらに含み、
前記ベベルギアハンドルの回転により、前記第１ベベルギア部材が回転し、前記第２ベベルギア部材が前記第１ベベルギア部材に噛み合って回転し、前記第２ベベルギア部材に結合された前記ベベルギアシャフトが回転し、前記ベベルギアシャフトに結合された前記スクリューが回転し、
前記スクリューの回転により、前記ドリルシャフトの雌ネジ状の内部面が前記スクリューの雄ネジ状の外部面に噛み合って回転しながら上下運動し、前記ドリルシャフトに固定された前記ドリル刃が上下運動することができる、請求項１に記載の配管内のプラッギング除去のためのドリル装置。
【請求項３】
前記ウォームギアは、
前記ウォームギアハンドルに結合される第１ウォームギア部材と、
前記第１ウォームギア部材に噛み合う第２ウォームギア部材と、を含み、
前記ドリル装置は、前記シャフトガイドの下部に連結され、前記第２ウォームギア部材に接触されることができる固定プレートを含み、
前記ウォームギアハンドルの一方向への回転により、第１ウォームギア部材が回転し、前記第２ウォームギア部材が回転し、前記第２ウォームギア部材に前記固定プレートが接触して前記固定プレートが回転し、前記固定プレートに結合された前記シャフトガイドが回転し、前記シャフトガイドに接触して前記ドリルシャフトが回転し、前記ドリルシャフトに固定される前記ドリル刃が回転運動することができる、請求項１又は２に記載の配管内のプラッギング除去のためのドリル装置。
【請求項４】
前記ウォームギアハンドルの他方向への回転により前記第２ウォームギア部材は前記固定プレートから離隔され、前記ベベルギアハンドルの回転による動力のみが前記ドリルシャフトへ伝達されることができる、請求項３に記載の配管内のプラッギング除去のためのドリル装置。
【請求項５】
前記ドリル刃はブロンズ材質からなる、請求項１〜４のいずれかに記載の配管内のプラッギング除去のためのドリル装置。
【請求項６】
前記ドリル装置は前記シャフトガイドを取り囲む本体ケーシングをさらに含み、
前記ドリル装置は前記ドリル刃によるプラッギング除去作業時に下に落ちるプラッギングを収納可能な上部ケーシング部材をさらに含み、前記上部ケーシング部材は前記本体ケーシングに結合可能である、請求項１〜５のいずれかに記載の配管内のプラッギング除去のためのドリル装置。
【請求項７】
前記ドリル装置は、
前記ドリル刃と前記ドリルシャフトの第２部分との間を連結することができるフレキシブルワイヤと、
前記上部ケーシング部材と前記配管との間を連結することができ、前記フレキシブルワイヤを取り囲むフレキシブル高圧ホースをさらに含み、
前記フレキシブル高圧ホース及び前記フレキシブルワイヤにより狭小な空間でも配管内のプラッギング除去作業を容易に行うことができる、請求項６に記載の配管内のプラッギング除去のためのドリル装置。
【請求項８】
前記上部ケーシング部材に位置され、前記ドリルシャフトの第２部分を取り囲むＶパッキング及びパッキングナットをさらに含み、前記ドリル刃が運動をする時、前記パッキングナットが前記Ｖパッキングを押圧することにより、前記本体ケーシングの上部が封止されて、前記上部ケーシング部材に収納されたプラッギングが前記本体ケーシングの内部へ入らないようにする、請求項６又は７に記載の配管内のプラッギング除去のためのドリル装置。
【請求項９】
前記上部ケーシング部材は側面に開口部を具備し、前記開口部に上部ケーシング部材の連結管とバルブを連結することができ、
前記上部ケーシング部材の連結管を介して前記上部ケーシング部材の内部へ窒素ガスを供給することにより、前記ドリル刃でプラッギング破砕時のスパークによる火災及び／又は爆発を防止することができるか、
前記上部ケーシング部材の連結管を介して前記上部ケーシング部材の内部のプラッギングを外部へ排出することができる、請求項６〜８のいずれかに記載の配管内のプラッギング除去のためのドリル装置。
【請求項１０】
前記フレキシブル高圧ホースはニップルに取り替え可能であり、前記ニップルは前記ドリル装置と前記配管との間を連結し、前記ドリル刃は前記フレキシブルワイヤなしで前記ドリルシャフトの第２部分に直接連結可能である、請求項７に記載の配管内のプラッギング除去のためのドリル装置。
【手続補正２】
【補正対象書類名】明細書
【補正対象項目名】００１３
【補正方法】変更
【補正の内容】
【００１３】
また、本発明の配管内のプラッギング除去のためのドリル装置において、
上部ケーシング部材は側面に開口部を具備し、開口部に上部ケーシング部材の連結管とバルブを連結することができ、
上部ケーシング部材の連結管を介して上部ケーシング部材の内部へ窒素ガスを供給することにより、ドリル刃でプラッギング破砕時のスパークによる火災や爆発を防止することができるか、
上部ケーシング部材の連結管を介して上部ケーシング部材の内部のプラッギングを外部へ排出することができる。
【手続補正３】
【補正対象書類名】明細書
【補正対象項目名】００２４
【補正方法】変更
【補正の内容】
【００２４】
また、本発明の配管内のプラッギング除去のためのドリル装置において、
上部ケーシング部材は側面に開口部を具備し、開口部に上部ケーシング部材の連結管とバルブを連結することができ、
上部ケーシング部材 の連結管を介して上部ケーシング部材の内部へ窒素ガスを供給することにより、ドリル刃でプラッギング破砕時のスパークによる火災や爆発を防止することができるか、
上部ケーシング部材 の連結管を介して上部ケーシング部材の内部のプラッギングを外部へ排出することができる。
【手続補正４】
【補正対象書類名】明細書
【補正対象項目名】００３９
【補正方法】変更
【補正の内容】
【００３９】
一例として、ウォームギアハンドル１８を時計回りに回す時、ドリルシャフト８及びドリル刃１２が回転することになり、ウォームギアハンドル１８を反時計回りに回す時は、ウォームギア１１が固定プレート１４から離隔されて一種のギア中立状態となると述べたが、本発明は前述したものに限定されず、正反対の方式で具現することもでき、状況に合わせて多様に変形、変更することができる。
【手続補正５】
【補正対象書類名】明細書
【補正対象項目名】００４０
【補正方法】変更
【補正の内容】
【００４０】
一方、配管内のプラッギングは温度と圧力が高い環境にある。したがって、破砕されたプラッギングが落ちながら作業者に傷害を与える恐れがある。また図１ａを参照すると、ドリル装置１００は、本体ケーシング２の上部に結合された上部ケーシング部材３を具備して、破砕されたプラッギングが下に落ちても上部ケーシング部材３の中に収納され得るようにした。上部ケーシング部材３の中には、後述のＶパッキング７とパッキングナット６が具備されている。また、上部ケーシング部材３の内部面には、後述の図４ｄに示したニップル３３や図４ｂに示されたフレキシブル高圧ホース３１を結合することができる溝３ａを具備することができる。また、上部ケーシング部材３の側面の一部分に開口部３ｂを設けて図４ａに示されたように上部ケーシング部材の連結管４１ａとバルブ４１ｂとを連結することができ、上部ケーシング部材３に収納されたプラッギングを作業途中でもバルブ４１ｂを開いて上部ケーシング部材の連結管４１ａを介してドリル装置１００の外部へ排出することができるようにした。必要に応じて、上部ケーシング部材の連結管４１ａに延長配管を連結して排出することにより、作業者にプラッギングが触れないようにすることもできる。
【手続補正６】
【補正対象書類名】明細書
【補正対象項目名】００４７
【補正方法】変更
【補正の内容】
【００４７】
また図３ｂを参照すると、工程装置にプラッギングが発生して、これを除去する必要性がある場合に栓を開けることができるようになっている。このような栓を開けると、本発明によるドリル装置１００を結合することができるように雌ネジ状になっている部分がある（図示せず）。図４ｂのドリル装置１００のフレキシブル高圧ホース３１と図４ｄの本発明によるドリル装置１００のニップル３３は、その端部が雄ネジ状であるため、図３ｂの工程装置に雌ネジ状になっている前記部分に結合され得るようになっている。それにより、例えば、図４ｄの本発明によるドリル装置１００の場合には、ドリル装置１００が図３ｂの工程装置の下部に縦方向に結合されることができる。本発明によるドリル装置１００が工程装置に強固に結合されると、図３ｂに示されたバルブを回す。バルブを回すと、ドリル装置１００のドリル刃１２が工程装置の配管内へ進入することができるように開放される。図１ａに示したようにドリル装置１００のベベルギアハンドル１７を回してドリル刃１２を前進させてプラッギングに位置させ、ウォームギアハンドル１８を回してドリル刃を回転させることにより、プラッギングを破砕することになる。
【手続補正７】
【補正対象書類名】明細書
【補正対象項目名】００４８
【補正方法】変更
【補正の内容】
【００４８】
また図４ｂを参照すると、ドリル装置１００の一端部にドリル刃１２が連結されたフレキシブルワイヤ３２とフレキシブル高圧ホース３１が結合されることができるため、ドリル装置１００を位置させるのに狭小な空間、例えば、工程装置の下端部から底面までの高さが２００ｍｍ以下である空間でもドリル装置１００を工程装置に結合することができ、それにより、作業者が容易に作業することができるメリットがある。フレキシブル高圧ホース３１は最大３０Ｂａｒの圧力と最大２００℃の温度にも耐えることができ、材質は、例えば、ステンレス鋼で製作されることができる。フレキシブルワイヤ３２は、例えば、ステンレス鋼材質で製作されることができる。フレキシブルワイヤ３２の一端部には小さい溝を具備することができ、ドリル刃１２には凸部を具備してフレキシブルワイヤ３２とドリル刃１２を固定することもできる。同様に、ドリルシャフト８の第２部分８ｂにも小さい溝を具備することができ、フレキシブルワイヤ３２の他端部には凸部を具備してフレキシブルワイヤ３２がドリルシャフト８に固定されることができるように具現することもできる。それにより、ウォームギアハンドル１８を回してドリルシャフト８が回転し、それに連動してドリル刃１２が連結されたフレキシブルワイヤ３２が回転しても、ドリル刃１２やフレキシブルワイヤ３２がドリル装置１００から離脱せず、作業者が安全に作業することができるようにした。
【手続補正８】
【補正対象書類名】明細書
【補正対象項目名】００５０
【補正方法】変更
【補正の内容】
【００５０】
また図４ａ及び図４ｄを参照すると、ドリル装置１００の外部面に取っ手４２が具備されている。また、本発明によるドリル装置１００にベベルギアハンドル１７とウォームギアハンドル１８が具備されている。したがって、作業者が片手では取っ手４２を握って、他の手ではベベルギアハンドル１７やウォームギアハンドル１８を操作しながらプラッギング除去作業を行うことができるようにした。または、作業者が片手ではベベルギアハンドル１７を握って、他の手ではウォームギアハンドル１８を握って作業することもできる。